(57)【要約】      （修正有）【課題】口や鼻から出る飛沫を防ぎつつ、装着者が下方を向くことで飲食可能にでき、耳掛け部がずれることもなく、装着したままで飲食が可能なマスクを提供する。【解決手段】マスクは、耳掛け３を有し、装着者１０の口と目を露出させた状態で鼻の上部を覆って顔面に装着される装着部１と、装着部１に上端が固定され、鼻から口を覆うフィルター部２とを備えている。そして、装着者１０が下を向いたときに、フィルター部２の下方と、装着者の口との間に飲食のための隙間７が形成される。【選択図】図４
0003231647.tif 000002
【実用新案登録請求の範囲】
【請求項１】
耳掛けを有し、装着者の口と目を露出させた状態で鼻の上部を覆って顔面に装着される装着部と、
前記装着部に上端が固定され、装着者の鼻から口を覆うフィルター部とを備え、
装着者が下を向いたときに、前記フィルター部の下方と装着者の口との間に飲食のための隙間が形成される、ことを特徴とするマスク。
【請求項２】
前記フィルター部の上端を、前記装着部に固定する固定具を更に具備する、ことを特徴とする請求項１に記載のマスク。
【請求項３】
前記フィルター部の上端を、前記装着部に着脱自在に固定する固定具を更に具備する、ことを特徴とする請求項１に記載のマスク。
【請求項４】
前記装着部の上辺に沿って設けられるノーズフィットまたはノーズクッションを更に具備する、ことを特徴とする請求項１乃至３のいずれか１つの項に記載のマスク。
【請求項５】
前記フィルター部の外周の少なくとも一部に沿って設けられ、装着面の凹凸に沿って変形可能な芯材を更に具備する、ことを特徴とする請求項１乃至４のいずれか１つの項に記載のマスク。
【請求項６】
前記装着部と前記フィルター部はそれぞれ、織布、不織布、ウレタン素材、あるいはこれらの複合素材から成る、ことを特徴とする請求項１乃至５のいずれか１つの項に記載のマスク。
【考案の詳細な説明】
【技術分野】
【０００１】
本考案は、例えば、飲食時に装着者や同席者を細菌やウイルスによる感染から守るためのマスクに関するものである。
【背景技術】
【０００２】
特許文献１には、略中央に開口を設けたマスク本体と、この開口を開閉自在に閉塞する閉塞部を備えるマスクが記載されている。そして、装着者が閉塞部を開閉することで、耳掛け部を耳から掛け外ししてマスク本体を着脱しなくても、口の露出および被覆を容易に行えるようになっている。
【０００３】
また、特許文献２には、装着して飲食する場合に、耳掛け部によって保持されていないマスク本体の下方部を手で跳ね上げ、口を露出させることにより、飲食を行うことが可能なマスクが記載されている。これによって、装着したままで飲食が可能であると共に、極力、口から出る飛沫を防ぐことができる、とされている。
【先行技術文献】
【特許文献】
【０００４】
【特許文献１】実用新案登録第３２２８３５１号公報
【特許文献２】実用新案登録第３２２９０８５号公報
【考案の概要】
【考案が解決しようとする課題】
【０００５】
しかしながら、特許文献１のマスクは、閉塞部におけるマスク本体の片側に設けた縫着部分を軸に回動して、マスク本体の開口を開閉する構造のため、飲食と会話を繰り返す際には、フック部材とアイ部材とで構成される鉤ホックの掛け外しが何度も必要になる。
【０００６】
一方、特許文献２のマスクでは、耳掛け部によって保持されていないマスク本体の下方部を手で跳ね上げて折り曲げ、口を露出させることにより飲食を行う。そして、会話するときには、跳ね上げたマスク本体の下方部の支えを離すことにより、マスク本体の下端に設けられた重りを兼ねた線状の形状保持部材により、マスク本体の下方部は元の口周辺を覆う状態に自然に戻すようになっている。
【０００７】
これによって、鉤ホックの掛け外しのような操作は不要になるが、口を露出させる際に、下方部を手で跳ね上げる必要がある。また、マスク本体の下方部を跳ね上げて折り返す構造のため、口を露出させる際に装着位置がずれ易い、という課題がある。
【０００８】
本考案は、上記のような事情に鑑みてなされたもので、その目的とするところは、口や鼻から出る飛沫を防ぎつつ、装着者が下方を向くことで飲食可能にでき、装着位置がずれることもなく、装着したままで飲食が可能なマスクを提供することにある。
【課題を解決するための手段】
【０００９】
本考案のマスクは、耳掛けを有し、装着者の口と目を露出させた状態で鼻の上部を覆って顔面に装着される装着部と、前記装着部に上端が固定され、装着者の鼻から口を覆うフィルター部とを備え、装着者が下を向いたときに、前記フィルター部の下方と装着者の口との間に飲食のための隙間が形成されることで、上述した課題を解決した。
【００１０】
上記のような構成によれば、装着者が下方を向くことで飲食可能にでき、装着したままで飲食が可能となる。また、装着部とフィルター部を別の部材で構成し、装着部を鼻の上部を覆って顔面に装着することで、たとえフィルター部の下部を跳ね上げても装着位置のずれを抑制できる。
【００１１】
また、前記フィルター部の上端を、前記装着部に固定する固定具を更に具備することで、上述した課題を解決した。
【００１２】
加えて、前記フィルター部の上端を、前記装着部に着脱自在に固定する固定具を更に具備することで、上述した課題を解決した。
【００１３】
フィルター部の上端を、固定具で装着部に固定、または固定具で着脱自在に装着部に固定して、フィルター部の下部を揺動可能にすることで、口や鼻から出る飛沫を防ぎつつ、装着者が下方を向くことで隙間が形成されて飲食可能にできる。
【００１４】
また、前記装着部の上辺に沿って設けられるノーズフィットまたはノーズクッションを更に具備することで、上述した課題を解決した。
【００１５】
装着部の上辺に沿ってノーズフィットまたはノーズクッションを設け、このノーズフィットまたはノーズクッションを鼻に沿うように曲げることで、装着性と密着性をより向上でき、捕集効率を高めるとともにマスクのずれを抑制できる。
【００１６】
更にまた、前記フィルター部の外周の少なくとも一部に沿って設けられ、装着面の凹凸に沿って変形可能な芯材を更に具備することで、上述した課題を解決した。
【００１７】
このように、フィルター部の外周に沿って芯材を設け、装着面に沿った形状にすることで、口や鼻から出る飛沫を効果的に防ぐことができる。
【００１８】
また、前記装着部と前記フィルター部はそれぞれ、織布、不織布、ウレタン素材、あるいはこれらの複合素材から成ることで、上述した課題を解決した。
【００１９】
装着部とフィルター部はそれぞれ、織布、不織布、ウレタン素材、あるいはこれらの複合素材などの一般的な素材で形成できる。
【考案の効果】
【００２０】
本考案によれば、口や鼻から出る飛沫を防ぎつつ、装着者が下方を向くことで飲食可能にでき、装着位置がずれることもなく、装着したままで飲食が可能なマスクを提供できる。
【図面の簡単な説明】
【００２１】
【図１】本考案の実施形態に係るマスクの構成について説明するための斜視図である。
【図２】装着部とフィルター部を固定する固定具について説明するための図である。
【図３】図１に示したマスクを装着した状態を示す斜視図である。
【図４】図１に示したマスクを装着して飲食する様子を示す側面図である。
【図５】図１に示したマスクを装着して飲食する様子を横から見た透視図である。
【考案を実施するための形態】
【００２２】
以下に、本考案を実施するための形態を、図面を参照して説明する。
【００２３】
図１（ａ），（ｂ）は、本考案の実施形態に係るマスクを示しており、（ａ）図は分解斜視図であり、（ｂ）図は実使用状態の斜視図である。このマスクは、装着部１とフィルター部２で構成される。
【００２４】
装着部１は、耳掛け３を有し、装着者の口と目を露出させた状態で鼻の上部を覆って顔面に装着される。フィルター部２は、装着部１に上端が固定され、装着者の鼻から口を覆うようになっている。
【００２５】
装着部１とフィルター部２は、それぞれ織布、不織布、ウレタン素材、あるいはこれらの複合素材で形成される。また、耳掛け３も、織布、不織布、ウレタン素材、あるいはこれらの複合素材で形成される。ここでは、耳掛け３は紐状であり、装着者の耳の位置に合わせて結んでいるが、伸縮性を持たせて環状に形成しても良い。
【００２６】
本例では、フィルター部２の上端が、装着部１にスプリングホック（固定具）４ａ，４ｂで着脱自在に固定されている。フック金具４ａ−１，４ａ−２は、フィルター部２の上端両側に取り付けられ、装着部１の上端にはアイ金具４ｂ−１，４ｂ−２が取り付けられている。
【００２７】
そして、図２（ａ），（ｂ）に示すように、フック金具４ａ−１，４ａ−２とアイ金具４ｂ−１，４ｂ−２を係合させることで、フィルター部１の下部が揺動可能になっている。
【００２８】
また、装着部１の上辺に沿ってノーズフィット（またはノーズクッション）５が設けられている。マスクの装着時に、このノーズフィット５を鼻に沿うように曲げることで、装着性と密着性をより向上できるようになっている。ノーズフィット５には、ポリエステル、ポリエチレン、針金などが用いられる。
【００２９】
また、フィルター部２の外周の少なくとも一部に沿って、装着面の凹凸に沿って変形可能な芯材６が設けられている。装着者の顔面の凹凸に対応する形状に変形させることで、口や鼻から出る飛沫を効果的に防ぐことができる。この芯材６としては、ポリエステル、ポリエチレン、針金、形状記憶部材などを用いることができる。
【００３０】
図３は、図１に示したマスクを装着した状態を示している。図示するように、マスクの装着者１０が正面を向いた状態では、一般的なマスクと同様であり、フィルター部２で外部からの細菌やウイルスから装着者を守り、装着者１０の口や鼻から出る飛沫をフィルター部２で防ぐことができ、同席者を細菌やウイルスによる感染から守ることができる。
【００３１】
図４は、図１に示したマスクを装着して飲食する様子を示している。図示するように、マスクの装着者１０が飲食のために下方を向いた状態では、フィルター部２の下方と装着者の口との間に隙間７が形成される。
【００３２】
図５の透視図に示すように、マスクの装着者が正面を向いた状態から下方を向くと、装着者が跳ね上げなくても、フィルター部２は二点鎖線で示す状態から実線で示す状態に揺動して、フィルター部２の下方と装着者の口との間に隙間７が形成されることになる。
【００３３】
このような構成のマスクによれば、口や鼻から出る飛沫を防ぎつつ、装着者が下方を向くことで飲食可能にでき、装着位置がずれることもなく、装着したままで飲食が可能になる。
【００３４】
尚、本考案は、上述した実施の形態に限定されるものではなく、要旨を逸脱しない範囲で種々の変形が可能である。例えば、装着部１を帯状の部材にしたが、装着者１０の口と目を露出させた状態で鼻の上部を覆って顔面に装着可能であれば、帯状に限られないのは勿論である。
【００３５】
また、図３では、マスクを装着している状態で、装着部１が露出している状態を示しているが、例えば、フィルター部２の上縁を高く形成して、マスクを装着している状態で、装着部１が見えないように構成しても良い。
【００３６】
更に、固定具にスプリングホックを用いる例について説明したが、スナップボタンなど他の様々な固定具を用いることができる。フック金具４ａ−１，４ａ−２とアイ金具４ｂ−１，４ｂ−２を用いたが、金属製に限らず樹脂製でも良く、アイ金具に代えてループ状の糸や紐を用いても構わない。
【００３７】
また、固定具がフィルター部の上端を装着部に着脱自在に固定する場合について説明したが、フィルター部２に柔軟性のある材料を用いることで、フィルター部の上端を装着部に縫い付けるなどして固定しても構わない。
【００３８】
加えて、ノーズフィット（またはノーズクッション）５や、芯材６を設ける例について説明したが、これらは必須ではない。
【産業上の利用可能性】
【００３９】
本考案のマスクは、細菌やウイルス対策、花粉や塵等の微細粒子対策、防寒・保湿などの目的で日常的に使われる家庭用マスクであり、特に飲食時に装着者や同席者を細菌やウイルスによる感染から守るのに好適なものである。
【符号の説明】
【００４０】
１    装着部
２    フィルター部
３    耳掛け
４ａ，４ｂ    スプリングホック（固定具）
４ａ−１，４ａ−２    フック金具
４ｂ−１，４ｂ−２    アイ金具
５    ノーズフィット（またはノーズクッション）
６    芯材
７    隙間
１０  装着者
【図１】
0003231647.tif 000003
【図２】
0003231647.tif 000004
【図３】
0003231647.tif 000005
【図４】
0003231647.tif 000006
【図５】
0003231647.tif 000007